(57)【特許請求の範囲】
【請求項１】
連続的に積層又は巻層されたウェットティッシュを一枚ずつ取り出すための取出部に、ウェットティッシュを引っ張り出すための引張用孔と、ウェットティッシュをミシン目に沿って切り離すために前記引張用孔よりも小さな切離用孔と、それら両者の孔間をウェットティッシュが移動できるように連通する連通孔とを備えさせ、それらの孔を閉じるための蓋体を開閉自在に設け、ウェットティッシュを収納するための容器を、気密性を有するシート状部材に折込部が形成されたガゼット袋から構成し、前記シート状部材に形成した開口部周縁に上面から当て付ける上部材と、該開口部周縁の下面からシート状部材を挟み込んだ状態で上部材の係止部に係止作用する被係止部を備えた下部材とから前記取出部を構成してなるウェットティッシュ容器の取出部構造。
【請求項２】
前記係止部が上部材の下面に下方側に隆起した複数の突起部からなり、前記被係止部が前記突起部に係合する複数の係合孔からなり、これら突起部と係合孔との係合状態において突起部の先端が係合孔から下方に突出するように構成してなる請求項１記載のウェットティッシュ容器の取出部構造。
【発明の詳細な説明】
【０００１】
【発明の属する技術分野】
本発明は、連続的に積層又は巻層されたウェットティッシュを一枚ずつ取り出すためのウェットティッシュ容器の取出部構造に関する。
【０００２】
【従来の技術】
上記ウェットティッシュ容器の取出部構造では、ウェットティッシュの取出口が十文字に切り込みを入れたものが一般的である。
従って、前記切り込みからウェットティッシュを引っ張り出しながら、ミシン目に沿って一枚一枚切り離すようにしている。
【０００３】
上記のように取出口が十文字の切り込みであると、取出口が非常に小さいものになるため、ウェットティッシュを挟み込む力が大きくなり、ミシン目に沿ってウェットティッシュを切り離すことを容易に行うことができるものの、先ず最初にウェットティッシュの引っ張り側先端を取出口の内側から外側に移動操作することがやり難いだけでなく、次のウェットティッシュのミシン目まで引っ張り出す時に大きな引っ張り力を必要とするものであった。しかも、ウェットティッシュを引っ張り出す時には、一方の手で容器を押さえた状態でもう一方の手でウェットティッシュを引っ張り出さなければならず、ウェットティッシュを片手だけで容易に引っ張り出すことができないものであった。
上記不都合を解消するために、ウェットティッシュを容易に引っ張り出すことができるように大きな取出口を形成する場合が考えられるが、この場合には、前記とは逆にウェットティッシュの引っ張り出しを小さな引っ張り力で容易に行うことができるものの、ミシン目に沿ってウェットティッシュを切り離す場合には両手で行うことになり、この場合も上記同様に片手でウェットティッシュを容易に取り出すことができないものであり、改善の余地があった。
【０００４】
【発明が解決しようとする課題】
本発明が前述の状況に鑑み、解決しようとするところは、ウェットティッシュを容器内から容易に取り出すことができるようにする点にある。
【０００５】
【課題を解決するための手段】
本発明は、前述の課題解決のために、連続的に積層又は巻層されたウェットティッシュを一枚ずつ取り出すための取出部に、ウェットティッシュを引っ張り出すための引張用孔と、ウェットティッシュをミシン目に沿って切り離すために前記引張用孔よりも小さな切離用孔と、それら両者の孔間をウェットティッシュが移動できるように連通する連通孔とを備えさせ、それらの孔を閉じるための蓋体を開閉自在に設けて、ウェットティッシュを収納するための容器を、気密性を有するシート状部材に折込部が形成されたガゼット袋から構成し、前記シート状部材に形成した開口部周縁に上面から当て付ける上部材と、該開口部周縁の下面からシート状部材を挟み込んだ状態で上部材の係止部に係止作用する被係止部を備えた下部材とから前記取出部を構成して、ウェットティッシュ容器の取出部構造を構成した。先ず最初にウェットティッシュの引っ張り側先端を取出口の内側から外側に移動操作する場合や、取出口から出ているウェットティッシュの上端部を掴んで引っ張り上げて取り出す場合には、切離用孔よりも大きな引張用孔を通してウェットティッシュを容易に取出口の内側から外側に移動操作したり、引っ張り上げることができる。前記引っ張り上げたウェットティッシュをミシン目に沿って切り離す場合には、前記引張用孔よりも小さな切離用孔により容易に切り離すことができる。そして、それら３つの孔を閉じるための蓋体によりウェットティッシュが乾燥することを防止することができる。また、ウェットティッシュを収納するための容器を運搬や積み上げ収納するときに有利で、少資源及びゴミの減量化等による環境に有利なガゼット袋を用いることによって、そのガゼット袋の開口部周縁を上部材と下部材とで挟み込むだけで取出部を装着することができる。しかも、挟み込んだ状態では、上部材の係止部と下部材の被係止部とが係止作用することによって、開口部周縁から取出部が離脱することを強固に阻止することができる。
【０００８】
前記係止部が上部材の下面に下方側に隆起した複数の突起部からなり、前記被係止部が前記突起部に係合する複数の係合孔からなり、これら突起部と係合孔との係合状態において突起部の先端が係合孔から下方に突出するように構成することによって、突起部が係合孔を通して開口部周縁のシート部材を下方まで深く押し込むことができ、上部材と下部材とからなる取出部に対してシート部材が位置ずれしたり、外れることを確実に阻止することができる。
【００１０】
【発明の実施の形態】
図１に、多数枚が連続的にロール状に巻回されたウェットティッシュ１が内部に収納されたウェットティッシュ容器２を示している。このウェットティッシュ容器２は、気密性を有するシート状部材してアルミニウム製のフィルムを用いて底部２Ａ、底部２Ａから上方に伸びる前側部２Ｂ及び後側部２Ｃ、前側部２Ｂと後側部２Ｃとの間の横側部２Ｄ，２Ｅからなる袋体に構成し、図１に示す横側部２Ｄ，２Ｅに形成した折込部２Ｆにより、非使用時や運搬時等に、図２に示すように、折り畳むことができるようにしている。このように折込部２Ｆを備えた袋のことを一般にガゼット袋と称している。このようなガゼット袋を使用する場合に安定性の向上を図るための底部を成形物により構成してもよい。又、必要に応じて袋体の上部に把手用の孔を形成しておけば、持ち運びが楽である。又、前記ウェットティッシュ容器２をガゼット袋から構成する他、合成樹脂等でなるボトル形やボックス形等に構成してもよいし、又、上下に伸縮する蛇腹部を備えさせた袋体や容器として構成することによって、内部のウェットティッシュの枚数が少なくなるに従い、袋体や容器を小さくすることができるようにしてもよい。本発明では、ロール状に巻回されたウェットティッシュを示しているが、上下方向に積層されたウェットティッシュにも適応することができる。
【００１１】
前記ウェットティッシュ容器２の上端には、ファスナー３が取り付けられており、このファスナー３を開放操作することによって、ウェットティッシュ容器２の上方を開放状態にすることができ、この開放状態において容器上方からウェットティッシュ１を投入、又は補充することができるようにしている。尚、この実施例では、ファスナー３により上端を開放可能に構成したが、ファスナー３以外のもので上端を開放可能に構成してもよい。又、ファスナー３を省略して、ウェットティッシュ容器２の上端を密閉して使い捨てタイプに構成してもよい。
【００１２】
前記前側部２Ｂの上方箇所に、ウェットティッシュ１を一枚ずつ取り出すための取出部４を設けている。この取出部４は、図３〜図５に示すように、前側部２Ｂに形成した開口部２ｂ周縁に上面から当て付ける上部材５と、開口部２ｂ周縁の下面からフィルムを挟み込んだ状態で上部材５の多数の係止部、つまり突起部５Ａに係止作用する被係止部としての多数の係合孔６Ａを備えた下部材６と、前記下部材６に形成の取出口８を閉じる蓋体７とから構成している。このように２つの部材５，６によりフィルムを深く挟み込んで固定することによって、接着剤等を不要にしながらも、多数の係止部と多数の係合孔６Ａとの係合により強固に固定することができるようにする他、１つの部材を接着剤を用いて固定することもできる。前記蓋体７を取出口８及びその周辺をも閉じる大きさに構成したが、取出口８のみを閉じる小さな蓋体に構成してもよく、蓋体７の大きさはこれらに限定されるものではない。
前記下部材６の下面のうちの取出口８に対応する箇所に、図８及び図９に示すように、凹部６Ｂを形成することによって、取出口８を薄肉に構成するとともに、凹部６Ｂの上下円形角部６Ｒ，６Ｒを面取りして角を取ることによって、引っ張り出されるウェットティッシュ１が上下円形角部６Ｒ，６Ｒに引っ掛かることなく、スムーズに移動できるようにしてもよい。図では上下円形角部６Ｒ，６Ｒに丸みを付けることを面取りとしたが、傾斜を付ける場合でも同様の効果を得ることができる。
【００１３】
前記取出口８は、ウェットティッシュ１を引っ張り出すための略円形の引張用孔８Ａと、ウェットティッシュ１をミシン目１Ａに沿って切り離すために前記引張用孔８Ａよりも小さな切離用孔８Ｂと、これら両者の孔８Ａ，８Ｂ間をウェットティッシュ１が移動できるように連通する連通孔８Ｃとから構成している。従って、先ず最初にウェットティッシュ１の引っ張り側先端１Ｂを取出口８の内側から外側に移動操作する場合や、取出口８から出ているウェットティッシュ１の上端部１Ｂを掴んで引っ張り上げて取り出す場合には、図６にも示すように、切離用孔８Ｂよりも大きな引張用孔８Ａを通してウェットティッシュ１を容易に取出口８の内側から外側に移動操作したり、引っ張り上げることができる。前記引っ張り上げたウェットティッシュ１をミシン目１Ａに沿って切り離す場合には、前記引張用孔８Ａよりも小さな切離用孔８Ｂに連通孔８Ｃを通して移動させることにより容易に切り離すことができる。そして、図３及び図６に示すように、前記引張用孔８Ａをウェットティッシュ容器２の左右方向略中央、つまり取出部４の中心Ｘに位置させることによって、ウェットティッシュ１を引っ張り上げて取り出す時の移動抵抗を均一にしてスムーズな取り出しを実現することができる。しかも、ウェットティッシュ１をミシン目１Ａに沿って切り離した後、次のウェットティッシュ１を上方に引っ張り上げると、連通孔８Ｃを通してウェットティッシュ１が引張用孔８Ａに自ずと移動し、引張用孔８Ａからウェットティッシュ１を引っ張り上げることができる。
【００１４】
前記上部材５は、図３及び図５（イ）に示すように、外側にリング状の隆起部５Ｂと、内側に開口部５Ｋを形成するために上方に立ち上がった口部５Ｃとを備え、前記蓋体７に備える鍔部７Ａが口部５Ｃに外嵌することによって、開口部５Ｋを閉塞することができるようにしている。前記上部材５と蓋体７とが、３つの薄肉部９…を介して連結されている。そして、これら上部材５、蓋体７、薄肉部９を合成樹脂にて一体形成することができるようにしているが、それら３つの部材を別の部材で構成して連結するようにしてもよい。
【００１５】
図７に示すように、前記ウェットティッシュ容器２の取出部４とは反対側面、つまり後側部２Ｃに内部のウェットティッシュ１の引っ張り側先端１Ｂを引張用孔８Ａを通して外部に取り出し操作するための操作孔２Ｈを引張用孔８Ａと略同一高さ位置に設け、この操作孔２Ｈを閉じる開閉自在な蓋体としてのフィルム状のカバー部材１０を取り付けて実施してもよい。このカバー部材１０の内面のうちの前記操作孔２Ｈの周縁部分２ｈに接触する部分に粘着剤が塗布されており、この粘着剤の粘着作用によりカバー部材１０を操作孔２Ｈの周縁部分２ｈに密着させることができるようにしている。前記カバー部材１０の内面にアルミニウムフィルムを貼り付ける、又はカバー部材１０自体をアルミニウムフィルムで構成することによって、操作孔２Ｈに対する密封度を向上させるようにしてもよい。尚、前記蓋体として、フィルム状のカバー部材１０を用いる他、合成樹脂製の蓋体でもよい。
【００１６】
【発明の効果】
請求項１によれば、ウェットティッシュを引っ張り出す場合の孔とウェットティッシュを切り離すときの孔とを別々に備えさせることによって、例えば、先ず最初にウェットティッシュの引っ張り側先端を取出口の内側から外側に移動操作する場合や、取出口から出ているウェットティッシュの上端部を掴んで引っ張り上げて取り出す場合には、切離用孔よりも大きな引張用孔を通してウェットティッシュを容易に取出口の内側から外側に移動操作したり、引っ張り上げることができ、又、前記引っ張り上げたウェットティッシュをミシン目に沿って切り離す場合には、前記引張用孔よりも小さな切離用孔により容易に切り離すことができ、従来のように両手を使ってウェットティッシュを取り出すことが不要になり、片手だけでウェットティッシュを容易に取り出すことができる。
【００１８】
また、ウェットティッシュを収納するための容器を運搬や積み上げ収納するときに有利で、少資源及びゴミの減量化等による環境に有利なガゼット袋を用いることによって、そのガゼット袋の開口部周縁を上部材と下部材とで挟み込むだけで取出部を装着することができ、接着剤等により取出部を装着する場合に発生する余剰接着剤の食み出し等がないだけでなく、ガゼット袋に対する取出部の位置をも変更調節することができる。しかも、挟み込んだ状態では、上部材の係止部と下部材の被係止部とが係止作用することによって、開口部周縁から取出部が離脱することを強固に阻止することができる。
【００１９】
請求項２によれば、突起部が係合孔を通して開口部周縁のシート部材を下方まで深く押し込むことができ、上部材と下部材とからなる取出部に対してシート部材が位置ずれしたり、外れることを確実に阻止することができ、長期間に渡って良好に使用することができる。
【図面の簡単な説明】
【図１】ウェットティッシュ容器の斜視図
【図２】ウェットティッシュ容器を折り畳んだ状態を示す斜視図
【図３】蓋体を開放状態にした取出部の平面図
【図４】取出部を構成する下部材の平面図
【図５】前面部を上部材と下部材とで挟み込んだ状態を示し、（イ）は蓋体を開放状態にした断面図、（ロ）は蓋体を閉塞状態にした断面図
【図６】ウェットティッシュ容器の前面部に設けた取出口を示す要部拡大斜視図
【図７】ウェットティッシュ容器の後面部に設けた操作孔を示す要部拡大斜視図
【図８】取出部を構成する下部材の別の形態を示す平面図
【図９】図８で示した下部材の縦断面図
【符号の説明】
１  ウェットティッシュ            1A  ミシン目
1B  引っ張り側先端( 上端部)       ２  ウェットティッシュ容器
2A  底部                          2B  前側部
2C  後側部                        2D,2E 横側部
2F  折込部                        2H  操作孔
2b  開口部                        ３  ファスナー
４  取出部                        ５  上部材
5A  突起部( 係止部)               5B  隆起部
5C  口部                          5K  開口部
６  下部材                        6A  係合孔
6B  凹部                          6R  円形角部
７  蓋体                          7A  鍔部
８  取出口                        8A  引張用孔
8B  切離用孔                      8C  連通孔
９  薄肉部                        10  カバー部材( 蓋体)
Ｘ  中心
【図１】
0003981753.tif 000002
【図２】
0003981753.tif 000003
【図３】
0003981753.tif 000004
【図４】
0003981753.tif 000005
【図５】
0003981753.tif 000006
【図６】
0003981753.tif 000007
【図７】
0003981753.tif 000008
【図８】
0003981753.tif 000009
【図９】
0003981753.tif 000010